(57)【要約】【課題】複数の電光威嚇表示ユニットを含む電光威嚇表示装置を自動車に装着した場合において、各電光威嚇表示ユニットの電光表示動作を互いに連繋させて光による威嚇効果を高めるようにする。【解決手段】電光威嚇表示装置１０を、複数の表示灯１４を設けた電光表示部１６を備え、所定パターンで電光表示を行う電光威嚇表示ユニット１２（１２−１，１２−２，１２−３）を複数ユニット含んで構成する。そしてそれら複数ユニット間で通信を行う通信手段を設け、その通信手段によって、各電光威嚇表示ユニット１２が互いに連繋して電光表示を行うようになす。その通信手段は、表示パターンの設定のための信号を送るものとなしておき、何れか１つの電光威嚇表示ユニット１２の表示パターンを設定することで、他の電光威嚇表示ユニット１２の表示パターンを同一表示パターンに設定する。【選択図】        図１
2004334348.tif 000002
【特許請求の範囲】
【請求項１】
複数の表示灯を設けた電光表示部を備え、該電光表示部において所定パターンで電光表示を行う電光威嚇表示ユニットを複数ユニット有しているとともに、それら複数ユニット間で通信を行う通信手段を有しており、該通信手段によって各電光威嚇表示ユニットが互いに連繋して電光表示を行うようになしてあることを特徴とする盗難防止用の電光威嚇表示装置。
【請求項２】
請求項１において、前記通信手段としての伝送線が設けてあり、該伝送線にて前記複数の電光威嚇表示ユニット間が接続されていることを特徴とする盗難防止用の電光威嚇表示装置。
【請求項３】
請求項１，２の何れかにおいて、前記通信手段が表示パターンの設定のための信号を送るものであり、何れか１つの前記電光威嚇表示ユニットにおいて表示パターンを設定することで、他の該電光威嚇表示ユニットの表示パターンが同一表示パターンに設定されるようになしてあることを特徴とする盗難防止用の電光威嚇表示装置。
【請求項４】
請求項３において、前記複数の電光威嚇表示ユニットが、前記同一の表示パターンでの電光表示を同一の表示スピードで行うようになしてあることを特徴とする盗難防止用の電光威嚇表示装置。
【発明の詳細な説明】
【０００１】
【発明の属する技術分野】
この発明は主として乗物に装着され、表示灯により電光表示して光による威嚇を行い、盗難を防止するための盗難防止用の電光威嚇表示装置に関し、詳しくは電光表示部を備えた電光威嚇表示ユニットを複数有するものに関する。
【０００２】
【発明の背景】
従来、複数の表示灯を設けた電光表示部を備え、停車中の乗物の中などで各表示灯を点滅させることで電光表示部による電光表示を行い、光による威嚇効果で車上狙い等を退散させるようになした盗難防止用の電光威嚇表示装置が公知である。
【０００３】
ここで表示灯としては例えばＬＥＤ，ＬＣＤ，ＥＬ等が用いられており、乗物に接近する犯人に対しこれらを点滅させることで、乗物に防犯対策が施されていることを知らしめ、犯人の盗難意欲を減退させることで盗難を未然に防止する。
【０００４】
この盗難防止用の電光威嚇表示装置の場合、電光表示部を備えた電光威嚇表示ユニットを１つだけ乗物に装着しておくよりは、これを複数ユニット乗物に装着しておき、それぞれにおいて電光表示させるようになした方が、盗難防止上より有効と考えられる。
【０００５】
電光威嚇表示ユニットを乗物に複数ユニット設けておき、それらを車室内の前部と後部、或いは右部と左部とに分散して装着しておけば、犯人が乗物の前方から接近した場合や後方から接近した場合にも、或いは右方から接近した場合や左方から接近した場合にも光による威嚇効果を発揮でき、犯人を退散させる効果をより高めることができると考えられる。
【０００６】
この場合、複数の電光威嚇表示ユニットのそれぞれを全く独立にばらばらに所定パターンで電光表示させることも可能であるが、それよりはむしろ複数の電光威嚇表示ユニットのそれぞれを、互いに連繋して電光表示させるようになした方が、光による威嚇をより効果ならしめることができる。
【０００７】
特に各電光威嚇表示ユニットにおいて同一の表示パターンで且つ同一の点滅スピード即ち同一の表示スピードで一斉に電光表示を行わせるようになした場合、電光表示がより強調されて、光による威嚇効果を最も高めることができると考えられる。
【０００８】
本発明はこのような課題を解決することを目的としてなされたものである。
尚、乗物用の電光表示装置として下記特許文献１に開示されたものがある。
この電光表示装置は、２つ以上の発光素子と発光素子の発光を制御する制御回路及びバッテリ電源に接続するための接続部とを備えて構成されているが、この特許文献１に開示のものは、電光表示装置が単一のユニットにて構成されたものであり、複数の電光威嚇表示ユニットを備えた本発明の盗難防止用の電光威嚇表示装置とは異なったものである。
【０００９】
【特許文献１】
実用新案登録第３０８７４２５号公報
【００１０】
【課題を解決するための手段】
上記課題を解決するために案出された本発明の盗難防止用の電光威嚇表示装置は、複数の表示灯を設けた電光表示部を備え、該電光表示部において所定パターンで電光表示を行う電光威嚇表示ユニットを複数ユニット有しているとともに、それら複数ユニット間で通信を行う通信手段を有しており、該通信手段によって各電光威嚇表示ユニットが互いに連繋して電光表示を行うようになしてあることを特徴とする（請求項１）。
【００１１】
請求項２のものは、請求項１において、前記通信手段としての伝送線が設けてあり、該伝送線にて前記複数の電光威嚇表示ユニット間が接続されていることを特徴とする。
【００１２】
請求項３のものは、請求項１，２の何れかにおいて、前記通信手段が表示パターンの設定のための信号を送るものであり、何れか１つの前記電光威嚇表示ユニットにおいて表示パターンを設定することで、他の該電光威嚇表示ユニットの表示パターンが同一表示パターンに設定されるようになしてあることを特徴とする。
【００１３】
請求項４のものは、請求項３において、前記複数の電光威嚇表示ユニットが、前記同一の表示パターンでの電光表示を同一の表示スピードで行うようになしてあることを特徴とする。
【００１４】
【作用及び発明の効果】
以上のように本発明は、電光威嚇表示ユニットを複数ユニット含んで電光威嚇表示装置を構成し、そして各電光威嚇表示ユニット間で通信を行う通信手段を設けて、その通信手段により各電光威嚇表示ユニットを互いに連繋して電光表示させるようになしたもので、本発明によれば、複数の電光威嚇表示ユニットが互いに連繋して電光表示を行うことで、犯人に対し光による威嚇を効果高く行うことができる。
【００１５】
ここで通信手段は無線通信手段となすことも可能であるが、各電光威嚇表示ユニット間を伝送線で有線接続して、かかる伝送線をもって通信手段となすことができる（請求項２）。
【００１６】
また各電光威嚇表示ユニット間での電光表示の連繋のパターンとして、例えば複数の電光威嚇表示ユニットの電光表示を何れか１つのユニットから他のユニットへと順次連続的に流れるように行うようになすなど様々な形態が可能であるが、本発明においては、請求項３に従い通信手段により複数の電光威嚇表示ユニットにおける表示パターンを同一表示パターンに設定し、それぞれを同一表示パターンで電光表示させるようになすことができる。
このようにすれば光による威嚇を効果的に行うことができる。
【００１７】
更にこの場合において、その同一表示パターンでの電光表示を各電光威嚇表示ユニット間で同一の表示スピードで行うようになしておくことができる（請求項４）。
この場合には光による威嚇を更に効果的に行うことができる。
【００１８】
【実施例】
次に本発明の実施例を図面に基づいて詳しく説明する。
図１及び図２において、１０は自動車１１に装着されて盗難防止を行うための本例の電光威嚇表示装置で、複数（ここでは３個）の電光威嚇表示ユニット１２−１，１２−２，１２−３を含んで構成されている。
【００１９】
本例では、これら３個の電光威嚇表示ユニット１２−１，１２−２，１２−３の内の１つが車室内前部、例えばダッシュボードの上部に装着されており、また他の２つが車室内後部の右部と左部とに装着されている。
【００２０】
各電光威嚇表示ユニット１２−１，１２−２，１２−３は、多数の表示灯（ここではＬＥＤ。但しＬＣＤ，ＬＥ等であっても良い）１４から成る電光表示部１６と、電光表示の表示モードを選択する選択スイッチ１８及び選択スイッチ１８の選択操作に基づいて電光表示部１６を所定モードで電光表示させる、マイコンを主要素として構成された制御部２０（図３参照）とを有している。
【００２１】
図１（Ｂ）において３０は電源線、３２はアース線、３４は電光威嚇表示ユニット１２−１，１２−２，１２−３にＯＮ／ＯＦＦ信号を入力する信号線である。
本例において、各電光威嚇表示ユニット１２−１，１２−２，１２−３は、自動車１１に搭載されたバッテリを電源として動作する。
【００２２】
図３に示しているように、各電光威嚇表示ユニット１２−１，１２−２，１２−３は電圧変換回路（ＤＣ／ＤＣコンバータ）２２を有しており、バッテリからの電圧１２Ｖがこの電圧変換回路２２で５Ｖに変換された上で制御部２０に供給される。
この制御部２０には、上記電光表示部１６及び選択スイッチ１８が接続されており、その選択スイッチ１８による選択信号が制御部２０へと入力され、これにより電光表示部１６における表示モードが選択される。
【００２３】
尚図１及び図２における各電光威嚇表示ユニット１２−１，１２−２，１２−３は何れも基本的に同一構成のもので、それぞれが制御部２０，電圧変換回路２２，電光表示部１６及び選択スイッチ１８を備えている。
但し電圧変換回路２２を各電光威嚇表示ユニット１２−１，１２−２，１２−３で共通化することも可能である。
また電光威嚇表示ユニット１２−２，１２−３については選択スイッチ１８を省略することも可能である。
【００２４】
図１（Ｂ）に示しているように本例において、電光表示部１６は合計７つの表示灯１４を１列に配列して構成してあり、それら表示灯１４の１つ１つが様々なパターンで点滅することによって、全体として所定モードで電光表示を行う。
【００２５】
ここで表示モードは、各表示灯１４の点灯及び消灯パターンにより決定される表示パターンと表示スピード、即ち各表示灯１４の点滅スピードとによって決定される。
また表示パターンは各表示灯１４の点灯及び消灯、即ち点滅の順序によって決定される。
【００２６】
図５及び図６はその表示パターンの例を具体的に示している。
このうち例えば図５（Ｉ）の表示パターンは、図４の最下列に示しているように最初に図中右端の表示灯１４を点灯させ、次にその上列に示すように右端の表示灯１４を消灯させるとともに右端から２番目の表示灯１４を点灯させ、以後図４中の下から上に表示灯１４の点・消灯状態を順に時系列に変化させることで、全体として一連の表示パターンでの電光表示を行う。
図４では図５（Ｉ）の表示パターンのみを時系列的に表したが、図５（ＩＩ），（ＩＩＩ），（ＩＶ），（Ｖ），（ＶＩ），図６（ＶＩＩ），（ＶＩＩＩ）の表示パターンも同様である。
【００２７】
尚それぞれの表示パターンにおいて、電光表示部１６における表示灯１４は、図５及び図６に示す表示パターンの最下列から表示を開始するように制御部２０によって制御される。
【００２８】
本例においては、図１及び図２に示しているように各電光威嚇表示ユニット１２−１，１２−２，１２−３間が伝送線（通信手段）２４，２６にて接続されており、電光表示部１６の表示モードの設定のための信号が、それら伝送線２４，２６を通じて電光威嚇表示ユニット１２−１から１２−２へ、更に１２−２から１２−３へと送られるようになっている。
【００２９】
即ち電光威嚇表示ユニット１２−１に備えられた選択スイッチ１８を操作して、電光威嚇表示ユニット１２−１の電光表示部１６の表示モードを選択（設定）すると、自動的に他の２つの電光威嚇表示ユニット１２−２，１２−３も同じ表示モードに設定されるようになっている。
尚図１において、２８はそれら伝送線２４，２６を含んだ配線コードを表している。
【００３０】
ここで表示モードは各表示灯１４の点滅の順序により決定される表示パターンと、点滅スピードにより決定される表示スピードとの２つの要素から成っており、ここではそれら表示パターンと表示スピードとの両方が、３つの電光威嚇表示ユニット１２−１，１２−２，１２−３において同一に設定される。
【００３１】
本例の電光威嚇表示装置１０において、各電光威嚇表示ユニット１２−１，１２−２，１２−３はエンジン作動中は停止状態を維持しており、エンジン停止後において運転者が自動車１１から離れたとき、ドアスイッチのＯＮ信号を起動信号として各電光威嚇表示ユニット１２−１，１２−２，１２−３が電光表示動作を開始する。
このとき、各電光威嚇表示ユニット１２−１，１２−２，１２−３のそれぞれに対し信号線３４を通じ起動信号が入力される。
【００３２】
起動信号の入力後、各電光威嚇表示ユニット１２−１，１２−２，１２−３は、図５及び図６に示す表示パターンの最下列から表示灯１４の点滅による電光表示を開始する。
従って各電光威嚇表示ユニット１２−１，１２−２，１２−３は、同時に同じタイミングで電光表示動作を開始する。
【００３３】
尚、３つの電光威嚇表示ユニット１２−１，１２−２，１２−３のそれぞれに対し信号線３４を通じ起動信号を入力する代りに、ＯＮ／ＯＦＦ信号については、即ち起動信号については最初の電光威嚇表示ユニット１２−１にだけ入力し、後段の電光威嚇表示ユニット１２−２，１２−３への起動信号については、最初の電光威嚇表示ユニット１２−１から伝送線２４，２６を通じて入力して、それらの電光表示動作を同時に同じタイミングで開始させるようになすことも可能である。
【００３４】
更にまた、ここでは各電光威嚇表示ユニット１２−１，１２−２，１２−３に対し独立に電源供給するようにしているが、２番目の電光威嚇表示ユニット１２−２に対しては最初の電光威嚇表示ユニット１２−１を介して電源供給し、また３番目の電光威嚇表示ユニット１２−３に対しては２番目の電光威嚇表示ユニット１２−２を介して電源供給するようになすことも可能である。
【００３５】
以上のような本例の電光威嚇表示装置１０によれば、複数の電光威嚇表示ユニット１２−１，１２−２，１２−３が互いに連繋して電光表示を行うことで、犯人に対し光による威嚇を効果高く行うことができる。
【００３６】
特に本例では複数の電光威嚇表示ユニット１２−１，１２−２，１２−３における表示パターンを同一表示パターンに設定し、且つそれぞれを同一表示スピードで同時に同じタイミングで電光表示させるようにしているため、光による威嚇を効果高く行うことができる。
【００３７】
以上本発明の実施例を詳述したがこれはあくまで一例示である。
例えば上例では電光威嚇表示装置１０を３つの電光威嚇表示ユニット１２−１，１２−２，１２−３を含んで構成し、それらを互いに連繋して電光表示動作させるようにしているが、場合によって２つ或いは４つ以上の複数の電光威嚇表示ユニットを含んで電光威嚇表示装置１０を構成し、それぞれを互いに連繋して電光表示動作させるようになすことも可能である。
【００３８】
また上例では各電光威嚇表示ユニット１２−１，１２−２，１２−３を有線で接続しそれらの間で信号を授受するようになしているが、場合によって無線で各電光威嚇表示ユニット１２−１，１２−２，１２−３間で信号を授受するようになし、それぞれの表示パターンや表示スピード等を合せるようになすことも可能である。
【００３９】
更に本発明の電光威嚇表示装置は自動車以外の他の乗物、例えばオートバイやモータボート等に装着することも可能であるし、場合によって乗物以外に適用することも可能であるなど、本発明はその趣旨を逸脱しない範囲において種々変更を加えた形態で構成可能である。
【図面の簡単な説明】
【図１】（Ａ）本発明の一実施例の電光威嚇表示装置を自動車に装着した状態で示す図である。
（Ｂ）電光威嚇表示装置における電光威嚇表示ユニットを単体で示す図である。
【図２】同実施例における電光威嚇表示ユニットを互いに接続した状態で示す図である。
【図３】同実施例における電光威嚇表示ユニットの構成要素を示すブロック図である。
【図４】同実施例における電光表示部の表示灯の点滅状態を時系列で表す図である。
【図５】同実施例における電光表示部の表示パターンの具体例を示す図である。
【図６】図５とは異なった表示パターンの具体例を示す図である。
【符号の説明】
１０  電光威嚇表示装置
１２−１，１２−２，１２−３  電光威嚇表示ユニット
１４  表示灯
１６  電光表示部
２４，２６  伝送線（通信手段）
【図１】
2004334348.tif 000003
【図２】
2004334348.tif 000004
【図３】
2004334348.tif 000005
【図４】
2004334348.tif 000006
【図５】
2004334348.tif 000007
【図６】
2004334348.tif 000008